(57)【特許請求の範囲】
【請求項１】
水素利用装置（１）に接続され、水素を水素化物として吸蔵する水素吸蔵合金を収容する水素回収容器（２０）と、圧力調節バルブ（１８）を備えるタンク用配管（２９）によつて水素回収容器（２０）に接続され、水素ガスを内部空間に貯めておくガスタンク（２）とを使用し、水素利用装置（１）からの水素ガスを水素回収容器（２０）内の水素吸蔵合金に吸蔵させる工程で、水素吸蔵合金の飽和状態に近づくにつれて水素回収容器（２０）内のガス圧力が増大して圧力調節バルブ（１８）の設定圧を超えた際、圧力調節バルブ（１８）が開かれ、水素回収容器（２０）内の不純ガスを多く含む水素ガスが、ガスタンク（２）内が所定圧力に達するまで流入して貯蔵され、その後、水素回収容器（２０）の水素吸蔵合金から放出される高純度の水素ガスを水素利用装置（１）に還流させる際、ガスタンク（２）に貯蔵した不純ガスを多く含む水素ガスを外部にパージすることを特徴とする水素純度向上方法。
【請求項２】
水素利用装置（１）と、水素利用装置（１）に吸収用配管（１０）によつて接続され、水素を水素化物として吸蔵する水素吸蔵合金を収容する水素回収容器（２０）と、吸収用配管（１０）に備えられ、開閉機能を有する第１バルブ（１１）と、水素回収容器（２０）と水素利用装置（１）との間を接続する製品ガスライン（２８）と、製品ガスライン（２８）に備えられ、開閉機能を有する第２バルブ（１２）と、水素回収容器（２０）にタンク用配管（２９）によつて接続され、水素ガスを内部空間に貯めておくガスタンク（２）と、タンク用配管（２９）に直列に備えられる開閉機能を有する第４バルブ（１４）及び圧力調節バルブ（１８）と、ガスタンク（２）に接続され、開閉機能を有する第３バルブ（１３）を備えるパージガスライン（３３）とを備えることを特徴とする水素純度向上装置。
【発明の詳細な説明】
【０００１】
【発明の属する技術分野】
本発明は、水素純度向上方法及びその装置に関するものである。
【０００２】
【従来の技術及びその課題】
従来の水素純度向上装置を使用して、フロー式として水素回収容器からのパージガスを外部に放出させるものとして、特開平３−２７１１０１号公報に記載されるものが知られている。特開平３−２７１１０１号公報に記載される水素純度向上装置は、水素利用装置と、水素吸蔵合金を内蔵して加熱装置及び冷却装置を付属する水素回収容器とを第１圧力制御バルブを有する吸収用配管にて接続すると共に、バルブを有する放出用ガスラインを該水素回収容器に接続することを特徴とする。
【０００３】
そして、この水素純度向上装置によれば、水素利用装置に接続した水素回収容器に吸収時パージガスラインを付設すると共に、吸収時パージガスラインに圧力調節バルブを備えさせ、圧力調節バルブの設定圧を調節することにより、１個の水素回収容器を備える１台の装置によつてフロー式として水素回収容器からのパージガスを外部に放出させながら、純度を向上させた水素ガスを回収することができる。
【０００４】
しかしながら、低純度水素ガスから水素純度を向上させて高純度水素ガスを回収するために、フロー式として水素回収容器からのパージガスを外部に放出させる場合、不純ガスを多く含む水素ガスのパージは、水素吸蔵合金が十分に水素を吸蔵して水素回収容器内の圧力が吸蔵されなくなつた水素の影響で急激に上昇し、或いは吸収時パージガスラインの流量の急激な増加を検出するまでの間、行われる。
【０００５】
このため、水素吸蔵合金の劣化や吸蔵温度の変化等により、吸蔵量又は吸蔵速度等の能力に変動を生じ、この能力の変動に起因して水素回収容器内の圧力やパージの流量に変化を生じた際、パージが終了することになる。その結果、水素吸蔵合金の劣化や吸蔵温度の変化等により、総パージ量にバラツキを生じることになる。また、一般的に用いられているタイマーによつて水素吸蔵合金による吸蔵時間等を設定するものにあつても、同様に総パージ量にバラツキを生じることを免れ得ない。更に、圧力調節バルブの設定圧力の増減調節により、総パージ量を一定に設定するのでは、圧力調節バルブの調節が煩雑かつ困難である。
【０００６】
図３に基づいて不純ガスのパージ量について詳述する。図３において縦軸は圧力及びパージ量を示し、横軸は時間を示す。水素利用装置からの水素ガスを水素回収容器内に導けば、時間０において、水素回収容器内の圧力が水素利用装置内の圧力Ｐ3 にまでほぼ上昇するが、すぐに水素回収容器内の水素吸蔵合金に水素が吸蔵され始め、次第に水素回収容器内の圧力は低下する。図３において破線Ｈは水素吸蔵合金の吸蔵能力が低い場合の特性を示し、実線Ｉは水素吸蔵合金の吸蔵能力が高い場合の特性を示し、一点鎖線Ｊは水素吸蔵合金の吸蔵能力が中間の場合の特性を示す。
【０００７】
続いて、水素回収容器内に不純ガスを多く含む水素ガスが次第に溜まるため、水素回収容器内の圧力が次第に上昇し、水素回収容器内の圧力が圧力調節バルブの設定圧力Ｐ2 に達する。時間Ｔ11は、水素吸蔵合金の吸蔵能力が低い場合に水素回収容器内の圧力が圧力調節バルブの設定圧力Ｐ2 に達するまでに要する時間を示し、Ｔ12は、水素吸蔵合金の吸蔵能力が中間の場合の同様の時間を示し、Ｔ13は、水素吸蔵合金の吸蔵能力が高い場合の同様の時間を示す。それ以後、水素回収容器内の水素吸蔵合金に水素吸蔵がなされながら、不純ガスを多く含む水素ガスが圧力調節バルブを通過してパージされる。水素回収容器内の水素吸蔵合金に水素吸蔵されるのが終了する時間、及び、不純ガスを多く含む水素ガスのパージが終了する時間は、いずれも時間Ｔ14である。
【０００８】
この時間Ｔ14は、前述したように水素回収容器内の圧力が急激に上昇し、或いは吸収時パージガスラインの流量の急激な増加を検出したときである。曲線Ｋは水素吸蔵合金の吸蔵能力が低い場合のパージ量を示し、曲線Ｌは水素吸蔵合金の吸蔵能力が高い場合のパージ量を示し、曲線Ｍは水素吸蔵合金の吸蔵能力が中間の場合のパージ量を示す。かくして、急激なパージ流量の増大は防ぐことができるが、水素吸蔵合金の劣化により、総パージ量にバラツキ（図３に矢印Ｘによつて示す）を生じることになる。なお、水素回収容器内の水素吸蔵合金から放出される高純度の水素ガスを水素利用装置に向けて還流させる工程は、時間Ｔ14から時間Ｔ16まで継続される。
【０００９】
【課題を解決するための手段】
本発明は、このような従来の技術的課題に鑑みてなされたものであり、その構成は次の通りである。
請求項１の発明の構成は、水素利用装置１に接続され、水素を水素化物として吸蔵する水素吸蔵合金を収容する水素回収容器２０と、圧力調節バルブ１８を備えるタンク用配管２９によつて水素回収容器２０に接続され、水素ガスを内部空間に貯めておくガスタンク２とを使用し、水素利用装置１からの水素ガスを水素回収容器２０内の水素吸蔵合金に吸蔵させる工程で、水素吸蔵合金の飽和状態に近づくにつれて水素回収容器２０内のガス圧力が増大して圧力調節バルブ１８の設定圧を超えた際、圧力調節バルブ１８が開かれ、水素回収容器２０内の不純ガスを多く含む水素ガスが、ガスタンク２内が所定圧力に達するまで流入して貯蔵され、その後、水素回収容器２０の水素吸蔵合金から放出される高純度の水素ガスを水素利用装置１に還流させる際、ガスタンク２に貯蔵した不純ガスを多く含む水素ガスを外部にパージすることを特徴とする水素純度向上方法である。
請求項２の発明の構成は、水素利用装置１と、水素利用装置１に吸収用配管１０によつて接続され、水素を水素化物として吸蔵する水素吸蔵合金を収容する水素回収容器２０と、吸収用配管１０に備えられ、開閉機能を有する第１バルブ１１と、水素回収容器２０と水素利用装置１との間を接続する製品ガスライン２８と、製品ガスライン２８に備えられ、開閉機能を有する第２バルブ１２と、水素回収容器２０にタンク用配管２９によつて接続され、水素ガスを内部空間に貯めておくガスタンク２と、タンク用配管２９に直列に備えられる開閉機能を有する第４バルブ１４及び圧力調節バルブ１８と、ガスタンク２に接続され、開閉機能を有する第６バルブ１６を備えるパージガスライン３３とを備えることを特徴とする水素純度向上装置である。
【００１０】
【発明の実施の形態】
以下、本発明の１実施の形態について図１，図２を参照して説明する。
図中において符号１は水素利用装置であり、具体的には使用後の不純ガスを含む水素ガスを排出する水素冷却式発電機である。２０は水素回収容器（ＭＨ容器）であり、水素を水素化物として吸蔵する水素吸蔵合金（金属水素化物）を収容し、水素吸蔵合金の全体を加熱する加熱装置７及び冷却する冷却装置８をそれぞれ付属する。
【００１１】
冷却装置８は、水素を吸収させるように水素吸蔵合金を冷却する機能を有し、例えば冷水を供給する冷水供給装置である。加熱装置７は、水素を放出させるように水素吸蔵合金を加熱する機能を有し、例えば温水を供給する温水供給装置、電熱器等である。水素吸蔵合金は、水素ガスと反応し、可逆的に水素ガスを吸蔵又は放出するが、この反応はプラトー領域における水素平衡圧力−温度特性（Ｐ−Ｔ特性）に基づいて行われ、水素平衡圧力における温度条件から、低温度に冷却すれば水素ガスを吸蔵し、高温度に加熱すれば水素ガスを放出する。しかして、水素回収容器２０における通常の加熱装置７は、水素吸蔵合金を８０〜９８℃程度に加熱して水素ガスの放出を図るものである。但し、スチームを供給し、１１０〜１７０℃程度に加熱して水素ガスの放出を図ることもできる。
【００１２】
水素利用装置１の水素流出部に一端部が接続する吸収用配管１０は、開閉機能を有する第１バルブ１１を備え、水素回収容器２０に他端部が接続している。また、水素回収容器２０に一端部が接続し、開閉機能を有する第２バルブ１２を備える製品ガスライン２８の他端部が、水素利用装置１の水素流入部に接続している。
【００１３】
更に、水素回収容器２０、具体的には水素回収容器２０と第２バルブ１２との間の製品ガスライン２８に、タンク用配管２９の一端部が接続され、タンク用配管２９の他端部には不純ガスを多く含む水素ガスを内部空間に貯めておくガスタンク２が接続されている。タンク用配管２９の中間部には、第４バルブ１４及び第４バルブ１４と直列の圧力調節バルブ１８が備えられている。なお、ガスタンク２は、通常のタンクによつて構成できる他、アキュムレータによつて構成することも可能である。勿論、ガスタンク２内には、水素吸蔵合金は収容されていない。
【００１４】
次に、上記水素純度向上装置の作用について説明する。
このような水素純度向上装置をフロー式として使用することが可能である。この場合には、水素利用装置１から低純度水素ガスが放出される場合に好適である。
【００１５】
先ず、圧力調節バルブ１８の設定圧力を水素利用装置１内の水素圧力よりも低い所定値に設定する。この状態で、冷却装置８によつて水素吸蔵合金を冷却すると共に、第１，第４バルブ１１，１４を開いて第２，第３バルブ１２，１３を閉じ、水素利用装置１からの水素ガスを水素回収容器２０内に吸蔵させる。水素回収容器２０内の水素吸蔵合金は純水素のみを吸収するため、水素回収容器２０内の水素吸蔵合金の回りに不純ガスを多く含む水素ガスが次第に溜まる。水素吸蔵合金への水素吸蔵が進み飽和状態に近づくにつれて水素回収容器２０内のガス圧力が次第に高まるので、このガス圧力が圧力調節バルブ１８の設定圧力を超えたときから、圧力調節バルブ１８が開かれる。
【００１６】
これにより、水素回収容器２０内の水素吸蔵合金の回りに溜まつた不純ガスを多く含む水素ガスが、タンク用配管２９を通つてパージガスタンクとして機能するガスタンク２に流入する。このガスタンク２への流入状態は、ガスタンク２が設定した所定圧力に達するまで継続する。ここでのガスタンク２の設定圧力は、水素利用装置１内の圧力自体であり、所定容積のガスタンク２内の圧力が水素利用装置１内の圧力と均衡することにより、ガスタンク２への流入が終了する。また、第１バルブ１１に圧力調節機能を付与し、ガスタンク２内の圧力が第１バルブ１１の設定圧力と均衡することにより、ガスタンク２内が設定圧力に達したことを知ることもできる。このようにしてガスタンク２内に所定量の不純ガスを多く含む水素ガスが溜まつたなら、冷却装置８を停止すると共に、第１，第４バルブ１１，１４を閉じる。
【００１７】
その後、加熱装置７によつて水素吸蔵合金を加熱すると共に、第２バルブ１２を開き、水素回収容器２０内に吸蔵されている水素ガスを、水素利用装置１に向けて還流させる。ほぼ同時に第３バルブ１３を開き、ガスタンク２に貯留されている不純ガスを多く含む水素ガスを、外部にパージさせる。これらの工程を繰り返すことによつて水素ガスの純度を維持・向上させることができる。
【００１８】
図２に基づいて不純ガスのパージ量について詳述する。図２において縦軸は圧力及びパージ量を示し、横軸は時間を示す。当初、時間０において第１，第４バルブ１１，１４を開いて第２，第３バルブ１２，１３を閉じる。水素回収容器２０内の圧力は、水素利用装置１内の圧力Ｐ3 にまでほぼ上昇するが、すぐに水素回収容器２０内の水素吸蔵合金に水素が吸蔵され始め、次第に水素回収容器２０内の圧力は低下する。図２において破線Ａは水素吸蔵合金の吸蔵能力が低い場合の特性を示し、実線Ｂは水素吸蔵合金の吸蔵能力が高い場合の特性を示し、一点鎖線Ｃは水素吸蔵合金の吸蔵能力が中間の場合の特性を示す。
【００１９】
このようにして、水素回収容器２０内に不純ガスを多く含む水素ガスが次第に溜まるため、水素回収容器２０内の圧力が次第に上昇し、水素回収容器２０内の圧力が圧力調節バルブ１８の設定圧力Ｐ2 に達する。時間Ｔ1 は、水素吸蔵合金の吸蔵能力が低い場合に水素回収容器２０内の圧力が圧力調節バルブ１８の設定圧力Ｐ2 に達する時間を示し、Ｔ2 は、水素吸蔵合金の吸蔵能力が中間の場合の同様の時間を示し、Ｔ3 は、水素吸蔵合金の吸蔵能力が高い場合の同様の時間を示す。
【００２０】
それ以後、水素回収容器２０内の水素吸蔵合金に水素吸蔵がなされながら、不純ガスを多く含む水素ガスが圧力調節バルブ１８を通過してガスタンク２に流入する。このガスタンク２への流入は、ガスタンク２が所定の設定圧力になるまで継続される。従つて、水素回収容器２０内の水素吸蔵合金の水素吸蔵能力は十分に設定され、ガスタンク２への所定の流入が終了した後も、水素吸蔵が可能な状態にある。水素回収容器２０内の水素吸蔵合金に水素吸蔵がなされると共に、不純ガスを多く含む水素ガスがガスタンク２に流入し終わる時間は、時間Ｔ4 であり、第１，第４バルブ１１，１４を閉じる。
【００２１】
次に、第２バルブ１２を開くと同時に、第３バルブ１３を開き、ガスタンク２に貯留されている不純ガスを多く含む水素ガスを、外部にパージさせる。これにより、時間Ｔ5 までパージが継続され、曲線Ｄに示すようにガスタンク２内が大気圧Ｐ1 にまで低下する。また、パージによる流量は、曲線Ｅに示すように時間Ｔ5 まで次第に低下し、ほぼゼロになる。一方、水素回収容器２０内の水素吸蔵合金から放出される高純度の水素ガスを水素利用装置１に向けて還流させる工程は、時間Ｔ6 まで継続する。このようにして、ガスタンク２内が設定圧力になるまで不純ガスを多く含む水素ガスを流入させ、このガスタンク２内に貯めた不純ガスを多く含む水素ガスのみをパージさせることにより、総パージガス量がほぼ一定になる。
【００２２】
かくして、従来の方法では、水素回収容器内の水素吸蔵合金の水素吸蔵能力の変動によつてバラツキを生じていた総パージ量が、ガスタンク２の容量と水素利用装置１内の水素圧力（第１バルブ１１に圧力調節機能を付与した場合には、第１バルブ１１の設定圧力）によつてのみ決まるため、安定する。更に、圧力調節バルブ１８の設定圧力は、水素利用装置１内の圧力よりも低い値の範囲で、水素吸蔵合金の水素吸蔵能力の変化による調整を目的として増減調節し、総パージ量を一定に維持できる。
【００２３】
なお、ガスタンク２内が設定圧力になるまで不純ガスを多く含む水素ガスを流入させることに代えて、設定時間に達するまで、水素回収容器２０内の水素吸蔵合金の回りに溜まつた不純ガスを多く含む水素ガスをガスタンク２に流入させることもできる。この設定時間は、図外のタイマーによつて計測する。更に、ガスタンク２に付属させた圧力検出手段２２により、ガスタンク２内が設定圧力になつたことを検出し、第１，第４バルブ１１，１４を閉じ、総パージ量を一定に維持することも可能である。
【００２４】
このようにして、１個の水素回収容器２０、ガスタンク２及び圧力調節バルブ１８を使用し、水素純度向上装置をフロー式として、水素純度の向上・維持を図ることができる。
【００２５】
【発明の効果】
以上の説明によつて理解されるように、本発明に係る水素純度向上方法及びその装置によれば、次の効果を奏することができる。
すなわち、不純ガスを多く含む水素ガスのパージは、ガスタンクに貯蔵させた分だけ行われる。このため、総パージ量を設定するための圧力調節バルブの困難な調節作業を伴うことなく、水素吸蔵合金の劣化や吸蔵温度の変化等による吸蔵量又は吸蔵速度等の能力変動に起因して水素回収容器内の圧力やパージの流量に変化を生じた場合であつても、水素回収容器内の圧力やパージの流量の変化に影響されることなく、ほぼ一定の総パージ量を得ることができる。その結果、総パージ量に見合つた高純度の水素を安定的に補給することが可能になり、水素利用装置内の水素量の維持が容易になる。
【図面の簡単な説明】
【図１】  本発明の１実施の形態に係る水素純度向上装置を示す概略図。
【図２】  同じく時間−圧力及び流量特性を示す線図。
【図３】  従来の水素純度向上装置における時間−圧力及びパージ量特性を示す線図。
【符号の説明】
１：水素利用装置、２：ガスタンク、７：加熱装置、８：冷却装置、１０：吸収用配管、１１：第１バルブ、１２：第２バルブ、１３：第３バルブ、１４：第４バルブ、１８：圧力調節バルブ、２０：水素回収容器、２８：製品ガスライン、２９：タンク用配管、３３：パージガスライン。
【図１】
0003778613.tif 000002
【図２】
0003778613.tif 000003
【図３】
0003778613.tif 000004